(57)【要約】【課題】輻射冷却パネルに沿ってエアカーテンを形成することによりパネルの結露を抑制する際に、エアカーテンのパネルからの剥離を抑制することができる輻射冷却装置を提供する。【解決手段】輻射冷却装置１００は、輻射冷却により室内を冷却するパネル１０１と、パネル１０１の表面１０９に沿って、露点よりも高く、かつ、室温より低い温度を有するエアカーテン１０３を形成する気流を吹き出す吹き出し口１０４と、吹き出し口１０４に対向して設けられ、エアカーテン１０３の気流を引き込む引き込み口１０５と、吹き出し口１０４と引き込み口１０５との間のエアカーテン１０３内に配置され、エアカーテン１０３の気流を加速する気流加速器１０６と、を備える。【選択図】図１
2020148395.tif 000002
【特許請求の範囲】
【請求項１】
輻射冷却により室内を冷却するパネルと、
前記パネルの表面に沿って、露点より高く、かつ、室温より低い温度を有するエアカーテンを形成する気流を吹き出す吹き出し口と、
前記吹き出し口に対向して設けられ、前記エアカーテンの気流を引き込む引き込み口と、
前記吹き出し口と前記引き込み口との間の前記エアカーテン内に配置され、前記エアカーテンの気流を加速する気流加速器と、を備える
輻射冷却装置。
【請求項２】
前記気流加速器は、前記パネルの表面において前記エアカーテンの気流と垂直な方向に延びる板状部材である、
請求項１に記載の輻射冷却装置。
【請求項３】
前記気流加速器の前記パネルの表面からの高さは、前記吹き出し口の前記パネルの表面からの高さ及び前記引き込み口の前記パネルの表面からの高さの少なくとも一方よりも小さい、
請求項１又は２に記載の輻射冷却装置。
【請求項４】
前記気流加速器は、前記吹き出し口と前記引き込み口との間の、前記エアカーテンの気流の方向における中央位置に配置されている、
請求項１〜３のいずれか１項に記載の輻射冷却装置。
【請求項５】
前記気流加速器は、前記パネルの表面に、前記エアカーテンの気流の方向に並んで配置される複数の気流加速器である
請求項１〜３のいずれか１項に記載の輻射冷却装置。
【請求項６】
前記複数の気流加速器は、前記吹き出し口及び前記引き込み口の間で前記エアカーテンの気流の方向に等間隔で配置されている、
請求項５に記載の輻射冷却装置。
【請求項７】
前記気流加速器は、誘電体バリア放電により前記エアカーテンの気流を加速するプラズマアクチュエータである、
請求項１〜６のいずれか１項に記載の輻射冷却装置。
【発明の詳細な説明】
【技術分野】
【０００１】
本開示は、輻射冷却により室内を冷却する輻射冷却装置に関する。
【背景技術】
【０００２】
従来、輻射冷却により室内を冷却する輻射冷却装置が開示されている（例えば、特許文献１を参照）。特許文献１では、放射器における結露を防止するために、除湿された空気を放射器の室内側表面に沿って流すことで付着流を形成することが開示されている。
【先行技術文献】
【特許文献】
【０００３】
【特許文献１】特開平８−２４７４８７号公報
【発明の概要】
【発明が解決しようとする課題】
【０００４】
しかしながら、上記従来技術では、例えば放射器が天井面に設置される場合に、付着流と室内の空気との温度差により付着流が放射器表面から地面方向に剥離することがある。その結果、結露防止が有効に機能しないという課題がある。
【０００５】
そこで、本開示は、輻射冷却パネルに沿ってエアカーテンを形成することによりパネルの結露を抑制する際に、エアカーテンのパネルからの剥離を抑制することができる輻射冷却装置を提供する。
【課題を解決するための手段】
【０００６】
本開示の一態様に係る輻射冷却装置は、輻射冷却により室内を冷却するパネルと、前記パネルの表面に沿って、露点より高く、かつ、室温より低い温度を有するエアカーテンを形成する気流を吹き出す吹き出し口と、前記吹き出し口に対向して設けられ、前記エアカーテンの気流を引き込む引き込み口と、前記吹き出し口と前記引き込み口との間の前記エアカーテン内に配置され、前記エアカーテンの気流を加速する気流加速器と、を備える。
【発明の効果】
【０００７】
本開示の一態様に係る輻射冷却装置によれば、エアカーテンにより輻射冷却パネルの結露を抑制する際に、エアカーテンのパネルからの剥離を抑制することができる。
【図面の簡単な説明】
【０００８】
【図１】実施の形態１における輻射冷却装置の斜視図
【図２】実施の形態１における輻射冷却装置の平面図
【図３】実施の形態１における輻射冷却装置の断面図
【図４】実施の形態１における気流加速器の断面図
【図５】実施の形態１の変形例における輻射冷却装置の平面図
【図６】実施の形態２における輻射冷却装置の断面図
【発明を実施するための形態】
【０００９】
以下本発明の実施の形態について、図面を参照しながら説明する。
【００１０】
なお、以下で説明する実施の形態は、いずれも包括的または具体的な例を示すものである。以下の実施の形態で示される数値、形状、材料、構成要素、構成要素の配置位置及び接続形態などは、一例であり、請求の範囲を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化される場合がある。
【００１１】
また、本開示において、Ｘ方向は、パネルの表面と平行な平面においてエアカーテンの気流の方向と垂直な方向である。Ｙ方向は、エアカーテンの気流の方向と平行な方向である。Ｚ方向は、パネルの表面に対して垂直な方向である。平面図とは、Ｚ方向からＸＹ平面に物体を投影したときに得られる図を意味する。
【００１２】
また、本開示において、平行、垂直、中央及び等間隔などの要素間の関係性を示す用語、及び、矩形などの要素の形状を示す用語、並びに、数値は、厳格な意味のみを表すのではなく、実質的に同等な範囲、例えば数パーセント程度の差異をも含むことを意味する。
【００１３】
（実施の形態１）
まず、実施の形態１について説明する。
【００１４】
［輻射冷却装置の構成］
本実施の形態に係る輻射冷却装置１００の構成について、図１〜図３を参照しながら具体的に説明する。図１は、実施の形態１における輻射冷却装置１００の斜視図である。図２は、実施の形態１における輻射冷却装置１００の平面図である。図３は、実施の形態１における輻射冷却装置１００の断面図である。具体的には、図３は、図２におけるｉｉｉ−ｉｉｉ切断線における輻射冷却装置１００の断面図である。
【００１５】
図１〜図３に示すように、輻射冷却装置１００は、パネル１０１と、吹き出し口１０４と、引き込み口１０５と、気流加速器１０６と、温湿度調整器１０７と、ダクト１０８及び１１０と、を備える。以下に、これらの輻射冷却装置１００の構成要素について順に説明する。
【００１６】
パネル１０１は、それ自体が冷却され、輻射により室内を冷却する。本実施の形態では、パネル１０１は、室内の天井面１０２に設置され、室内に露出する矩形状の表面１０９を有する。パネル１０１は、高い熱伝導率を有する材料で構成されている。本実施の形態では、パネル１０１そのものの冷却方法は、特に限定されない。
【００１７】
パネル１０１の表面１０９は、エアカーテン１０３で覆われている。エアカーテン１０３は、露点より高く、かつ、室温よりも低い温度を有する。露点とは、水蒸気を含む空気の冷却によって水蒸気が凝縮し始める温度である。
【００１８】
吹き出し口１０４は、パネル１０１の表面１０９に沿ってエアカーテン１０３を形成する気流を吹き出す。つまり、吹き出し口１０４は、パネル１０１の表面１０９の付着流となる気流を吹き出す。吹き出し口１０４は、パネル１０１のＸ方向の端縁に設けられている。具体的には、吹き出し口１０４は、矩形状のパネル１０１の表面１０９のＸ方向の一辺に沿って延びている。吹き出し口１０４は、ダクト１０８を介して、温湿度調整器１０７に通じている。
【００１９】
引き込み口１０５は、吹き出し口１０４に対向して設けられ、エアカーテン１０３の気流を引き込む。つまり、吹き出し口１０４から吹き出されたエアカーテン１０３の少なくとも一部は、引き込み口１０５に流入する。引き込み口１０５は、吹き出し口１０４が設けられた辺に対向する辺に沿って延びている。引き込み口１０５は、ダクト１１０を介して、温湿度調整器１０７に通じている。
【００２０】
気流加速器１０６は、吹き出し口１０４と引き込み口１０５との間に配置され、エアカーテン１０３の気流を加速する。図１及び図２に示すように、気流加速器１０６は、パネル１０１の表面１０９に取り付けられたＸ方向に延びる板状部材である。
【００２１】
また、図３に示すように、気流加速器１０６のパネル１０１の表面１０９からの高さＨ１は、吹き出し口１０４及び引き込み口１０５のパネル１０１の表面１０９からの高さＨ２及びＨ３よりも小さい。これにより、気流加速器１０６の高さは、エアカーテン１０３の高さより小さくなる。つまり、気流加速器１０６は、エアカーテン１０３内に配置される。言い換えると、気流加速器１０６全体がエアカーテン１０３内に配置される。逆に言えば、気流加速器１０６は、エアカーテン１０３から室内側に露出しない。
【００２２】
本実施の形態では、気流加速器１０６は、吹き出し口１０４と引き込み口１０５との間のＹ方向における中央位置に配置されている。つまり、図３に示すように、吹き出し口１０４と気流加速器１０６とのＹ方向の距離Ｄ１１は、引き込み口１０５と気流加速器１０６とのＹ方向の距離Ｄ１２と等しい。
【００２３】
例えば、エアコンの風量の設定で弱相当の気流（風量３立方メートル／分、摂氏２０度、相対湿度９０パーセント）がＸ方向の幅１メートル及びＺ方向の高さ５センチメートルの吹き出し口１０４からエアカーテン１０３として吹き出された場合、摂氏３０度及び相対湿度８０パーセントの室内環境では、吹き出し口１０４から１〜２メートルの距離でエアカーテン１０３がパネル１０１の表面１０９から剥離する。そこで、そのような条件下では、距離Ｄ１１及びＤ１２はそれぞれ１メートル程度であることが好ましい。
【００２４】
なお、気流加速器１０６としては、プラズマアクチュエータを用いることができる。気流加速器１０６がプラズマアクチュエータである場合の気流加速器１０６の内部構成については図４を用いて後述する。
【００２５】
温湿度調整器１０７は、気流の温度及び湿度の少なくとも一方を調整する。例えば、温湿度調整器１０７は、パネル１０１の温度よりも低い露点を有し、かつ、室温よりも低い温度を有する気流を生成する。つまり、温湿度調整器１０７によって生成される気流に含まれる水蒸気量は、パネル１０１の温度における飽和水蒸気量より小さい。例えば、温湿度調整器１０７は、パネル１０１と同じ温度を有し、１００パーセント未満の相対湿度を有する気流を生成する。このように生成された気流が吹き出し口１０４から吹き出されることにより、エアカーテン１０３は、パネル１０１で冷却されても、露点よりも高い温度を維持することができる。
【００２６】
ダクト１０８及び１１０は、断熱処理された導管である。ダクト１０８は、温湿度調整器１０７から排出された気流を吹き出し口１０４に導く。ダクト１１０は、引き込み口１０５から引き込まれた気流を温湿度調整器１０７に導く。
【００２７】
［気流加速器（プラズマアクチュエータ）の構成］
上述したように、気流加速器１０６としては、プラズマアクチュエータを用いることができる。プラズマアクチュエータは、放電プラズマの原理の１つである誘電体バリア放電の原理を用いる。誘電体バリア放電とは、誘電体を挟んで配置された２枚の電極の間に高周波の高電圧交流を印加する形態をとる放電である。この放電は、電界により発生したストリーマ放電に対して誘電体がバリアの役割を果たす。その結果、スパーク放電やアーク放電への進展が防がれ、放電は、連続的ではなく数十ナノ秒という瞬時に完了する。また、この放電は大きな音を発生しないことから無声放電とも呼ばれる。さらに、この放電では、温度上昇が抑制される。
【００２８】
このようなプラズマアクチュエータの構成について図４を参照しながら具体的に説明する。図４は、実施の形態１における気流加速器１０６の断面図である。具体的には、図４は、図３における気流加速器１０６の拡大図である。図４において、気流加速器１０６は、プラズマアクチュエータであり、絶縁体１０６１と、誘電体１０６２と、電極１０６３及び１０６４と、を備える。
【００２９】
電極１０６３は、絶縁体１０６１上かつ誘電体１０６２内に配置されており、電極１０６４に対してＹ方向のエアカーテン１０３の上流側にずれて配置されている。電極１０６４は、誘電体１０６２上に配置され、エアカーテン１０３中にさらされている。
【００３０】
このような電極１０６３及び１０６４間に、電源（図示せず）により高電圧交流が印加されることにより、プラズマが発生する。このとき、プラズマの電子力線上で大気中の分子がプラスイオン分子と電子とに分かれ、プラスイオン分子が大気中の中性分子に衝突することで誘起流が発生する。この誘起流によりエアカーテン１０３の気流が加速される。誘起流の速度としては、電極形状、又は、印加交流の電圧若しくは周波数などによって異なるが、数メートル／秒程度が発生可能である。
【００３１】
このように、図４に示す気流加速器１０６（プラズマアクチュエータ）は、誘電体バリア放電によりエアカーテン１０３の気流を加速する。
【００３２】
誘電体１０６２の厚みとしては、例えば２００マイクロメートルを採用することができる。誘電体１０６２の材質としては、例えばポリイミドを用いることができる。電極１０６３及び１０６４の各々の厚みとしては、例えば７０マイクロメートルを採用することができる。電極１０６３及び１０６４の材質としては、例えば銅を用いることができる。また、電極１０６３及び電極１０６４間のＹ方向の距離としては、例えば３ミリメートルを採用することができる。なお、誘電体及び電極のサイズ及び材質は、一例であり、これに限定されない。
【００３３】
［効果等］
以上のように、本実施の形態における輻射冷却装置１００は、輻射冷却により室内を冷却するパネル１０１と、パネル１０１の表面１０９に沿って、露点より高く、かつ、室温より低い温度を有するエアカーテン１０３を形成する気流を吹き出す吹き出し口１０４と、吹き出し口１０４に対向して設けられ、エアカーテン１０３の気流を引き込む引き込み口１０５と、吹き出し口１０４と引き込み口１０５との間のエアカーテン１０３内に配置され、エアカーテン１０３の気流を加速する気流加速器１０６と、を備える。
【００３４】
これによれば、輻射冷却装置１００は、パネル１０１の表面１０９において、吹き出し口１０４と引き込み口１０５との間に、エアカーテン１０３の気流を加速する気流加速器１０６を備えることができる。したがって、コアンダ効果を増大させることができ、パネル１０１の表面１０９からのエアカーテン１０３が剥離することを抑制することができる。その結果、輻射冷却装置１００は、パネル１０１の表面１０９における結露を効果的に抑制することができる。
【００３５】
さらに、気流加速器１０６は、吹き出し口１０４から吹き出されたエアカーテン１０３の気流を加速できるので、吹き出し口１０４における気流の速度を増加させなくてもよい。したがって、吹き出し口１０４から吹き出される空気の量を増加させるために温湿度調整器１０７の処理能力を向上させなくてもよく、輻射冷却装置１００の大型化及び騒音を抑制することができる。
【００３６】
さらに、輻射冷却装置１００は、エアカーテン１０３内に気流加速器１０６を配置することができる。仮に、気流加速器１０６の一部がエアカーテン１０３外に配置されれば、その部分で結露する可能性が高くなる。例えば、気流加速器１０６として回転ファンが用いられる場合、構造上、回転ファンをマウントする筐体がエアカーテン１０３より室内側に露出してしまい、その露出部分で結露する可能性が高い。これに対して、本実施の形態における気流加速器１０６は、エアカーテン１０３内に配置されるので、気流加速器１０６における結露を抑制することができる。
【００３７】
また、本実施の形態における輻射冷却装置１００において、気流加速器１０６は、パネル１０１の表面１０９に取り付けられたＸ方向に延びる板状部材である。
【００３８】
これによれば、気流加速器１０６は、エアカーテン１０３の気流をＸ方向において一様に加速することができる。その結果、輻射冷却装置１００は、パネル１０１の表面１０９の全体で結露を効果的に抑制することができる。
【００３９】
また、本実施の形態における輻射冷却装置１００において、気流加速器１０６のパネル１０１の表面１０９からの高さＨ１は、吹き出し口１０４のパネル１０１の表面１０９からの高さＨ２及び引き込み口１０５のパネル１０１の表面１０９からの高さＨ３の少なくとも一方よりも小さい。
【００４０】
これによれば、気流加速器１０６の高さＨ１を抑えることができ、気流加速器１０６がエアカーテン１０３外に出ることを防ぐことができる。したがって、輻射冷却装置１００は、気流加速器１０６における結露を効果的に抑制することができる。
【００４１】
また、本実施の形態における輻射冷却装置１００において、気流加速器１０６は、吹き出し口１０４と引き込み口１０５との間の、エアカーテン１０３の気流方向における中央位置に配置されている。
【００４２】
これによれば、気流加速器１０６の配置を最適化することができ、少ない気流加速器１０６でエアカーテン１０３の剥離を効果的に抑制することができる。
【００４３】
また、本実施の形態における輻射冷却装置１００において、気流加速器１０６は、誘電体バリア放電によりエアカーテン１０３の気流を加速するプラズマアクチュエータであってもよい。
【００４４】
これによれば、輻射冷却装置１００は、エアカーテン１０３内において気流の加速を実現することができる。
【００４５】
（実施の形態１の変形例）
次に、実施の形態１の変形例について説明する。本変形例では、パネルのＹ方向の長さがより大きく、輻射冷却装置が複数の気流加速器を備える点が上記実施の形態１と異なる。以下に、上記実施の形態１と異なる点を中心に、本変形例における輻射冷却装置について図面を参照しながら説明する。
【００４６】
［輻射冷却装置の構成］
図５は、実施の形態１の変形例における輻射冷却装置２００の平面図である。図５に示すように、本変形例における輻射冷却装置２００は、パネル２０１と、吹き出し口１０４と、引き込み口１０５と、複数の気流加速器２０６と、を備える。
【００４７】
パネル２０１は、実施の形態１と同様に、輻射により室内を冷却する。パネル２０１は、室内に露出する矩形状の表面２０９を有する。この表面２０９のＹ方向の長さは、実施の形態１における表面１０９のＹ方向の長さよりも大きい。
【００４８】
複数の気流加速器２０６の各々は、実施の形態１における気流加速器１０６と同様の機能を有する。本変形例では、複数の気流加速器２０６は、パネル２０１の表面２０９にＹ方向に並んで配置されている。具体的には、複数の気流加速器２０６は、吹き出し口１０４及び引き込み口１０５の間でＹ方向に等間隔で配置されている。
【００４９】
ここでは、複数の気流加速器２０６の数は２である。吹き出し口１０４と２つの気流加速器２０６の一方との距離Ｄ２１と、２つの気流加速器２０６間の距離Ｄ２２と、引き込み口１０５と２つの気流加速器２０６の他方との距離Ｄ２３とは等しい。
【００５０】
距離Ｄ２１、Ｄ２２及びＤ２３は、吹き出し口１０４から吹き出される気流及び室内環境等に応じて決定されればよく、例えば、１メートルを採用することができる。
【００５１】
［効果等］
以上のように、本変形例における輻射冷却装置２００は、パネル２０１の表面２０９に、Ｙ方向に並んで配置される複数の気流加速器２０６を備える。
【００５２】
これによれば、パネル２０１が大型化してＹ方向の長さが増加した場合でも、複数の気流加速器２０６をＹ方向に並んで配置することができるので、エアカーテン１０３がパネル２０１の表面２０９から剥離することを抑制することができる。その結果、輻射冷却装置２００は、パネル２０１全体において結露を抑制することができる。
【００５３】
また、本変形例における輻射冷却装置２００において、複数の気流加速器２０６は、吹き出し口１０４及び引き込み口１０５の間でＹ方向に等間隔で配置されている。
【００５４】
これによれば、輻射冷却装置２００は、気流加速器２０６の配置を最適化することができ、例えば剥離が生じる恐れのある距離ごとに気流加速器２０６を配置することができる。その結果、輻射冷却装置２００は、気流加速器２０６の数の増加を抑えつつ、パネル２０１の表面２０９の全体に渡って結露を効果的に抑制することができる。
【００５５】
例えば、エアコンの風量の設定で弱相当の気流（風量３立方メートル／分、摂氏２０度、相対湿度９０パーセント）が幅１メートル及び高さ５センチメートルの吹き出し口１０４からエアカーテン１０３として吹き出される場合、摂氏３０度及び相対湿度８０パーセントの室内環境において、複数の気流加速器２０６は、１メートル程度の間隔で配置されればよい。これにより、複数の気流加速器２０６は、エアカーテン１０３がパネル２０１の表面２０９から剥離する前に気流を加速することができ、パネル２０１における結露が抑制される。
【００５６】
（実施の形態２）
次に、実施の形態２について説明する。本実施の形態では、ダクト内の気流が分岐されてパネルの冷却にも用いられる点が、上記実施の形態１と異なる。上記実施の形態１と異なる点を中心に、本実施の形態における輻射冷却装置について図面を参照しながら説明する。
【００５７】
［輻射冷却装置の構成］
図６は、実施の形態２における輻射冷却装置３００の断面図である。図６に示すように、本実施の形態における輻射冷却装置３００は、パネル３０１と、吹き出し口１０４と、引き込み口１０５と、気流加速器１０６と、熱交換器３０７と、ダクト３０８及び３１０と、を備える。
【００５８】
パネル３０１は、室内の天井面１０２に設置され、室内に露出する矩形状の表面３０９を有する。パネル３０１は、高い熱伝導率を有する材料で構成されている。本実施の形態では、パネル３０１は、熱交換器３０７によって冷却された気流がパネル３０１内の流路３１１を流れることによって冷却される。
【００５９】
熱交換器３０７は、空気を除湿及び冷却する。例えば、熱交換器３０７は、パネル３０１を冷却し、かつ、エアカーテン１０３を形成するために、室温よりも低い温度を有する気流を生成する。
【００６０】
ダクト３０８及び３１０は、断熱処理された導管である。ダクト３０８内を通過する気流は、室温より低温を維持している。ダクト３０８を介してパネル３０１の側面まで導かれた気流は、パネル３０１内の流路３１１を流れる気流とパネル３０１の表面３０９に沿って流れる気流との２つの気流に分岐される。
【００６１】
パネル３０１内の流路３１１に分岐された気流は、パネル３０１との熱交換によりパネル３０１を冷却する。そして、パネル３０１との熱交換により温度が上昇した気流は、ダクト３１０を介して熱交換器３０７に戻る。
【００６２】
また、パネル３０１の表面３０９に分岐された気流は、パネル３０１の表面３０９に沿ってエアカーテン１０３を形成する。ダクト３０８を通過する際に、気流は、わずかに昇温するため、露点よりも高い温度となる。そのため、パネル３０１の表面３０９で結露を起こさないエアカーテン１０３が形成される。このようにエアカーテン１０３によって室内の温度が遮断されるため、パネル３０１の表面３０９を覆う空気は、常に露点より高い温度を維持することができ、パネル３０１の表面３０９における結露を抑制することができる。エアカーテン１０３の気流は、実施の形態１と同様に、気流加速器１０６によって加速され、引き込み口１０５に引き込まれる。引き込み口１０５に引き込まれた気流は、ダクト３１０を介して熱交換器３０７に戻る。
【００６３】
［効果等］
以上のように、本実施の形態における輻射冷却装置３００は、熱交換器３０７によって生成される気流を、エアカーテン１０３の形成とパネル３０１の冷却との両方に用いることができる。これにより、輻射冷却装置３００の装置構成を簡便化することができる。
【００６４】
（他の実施の形態）
以上、本開示の１つまたは複数の態様に係る輻射冷却装置について、実施の形態に基づいて説明したが、本開示は、この実施の形態に限定されるものではない。本開示の趣旨を逸脱しない限り、当業者が思いつく各種変形を本実施の形態に施したものや、異なる実施の形態における構成要素を組み合わせて構築される形態も、本開示の１つまたは複数の態様の範囲内に含まれてもよい。
【００６５】
なお、上記各実施の形態では、Ｘ方向に延びる長尺状の気流加速器が用いられていたが、これに限定されない。例えば、非長尺状の複数の気流加速器がＸ方向に並べられてもよい。
【００６６】
なお、上記実施の形態では、気流加速器としてプラズマアクチュエータが用いられていたが、これに限定されない。エアカーテン内に設置され、エアカーテンの気流を加速することができる流体制御デバイスであれば、他の気流加速器が用いられてもよい。さらに、技術の進歩により新たな気流加速器が登場すれば、当然、その気流加速器が用いられてもよい。
【００６７】
なお、上記各実施の形態において、気流加速器の高さＨ１は、吹き出し口の高さＨ２及び引き込み口の高さＨ３の両方よりも小さかったが、これに限定されない。気流加速器の高さＨ１は、吹き出し口の高さＨ２及び引き込み口の高さＨ３の少なくとも一方よりも小さければよい。この場合であっても、気流加速器がエアカーテン１０３内に配置されれば、気流加速器における結露を抑制することができる。
【００６８】
なお、上記各実施の形態において、引き込み口の高さＨ３は、吹き出し口の高さＨ２と同一であったが、これに限定されない。つまり、引き込み口の高さＨ３は、吹き出し口の高さＨ２と異なってもよい。
【００６９】
なお、上記各実施の形態において、温湿度調整器及び熱交換器は、天井裏に設置されていたが、これに限定されない。温湿度調整器及び熱交換器は、吹き出し口及び引き込み口とダクトを介して通じていればよく、パネルから離れた場所に設置されてもよい。
【産業上の利用可能性】
【００７０】
本開示は、輻射により室内を冷却する輻射冷却装置に利用することができる。
【符号の説明】
【００７１】
１００、２００、３００  輻射冷却装置
１０１、２０１、３０１  パネル
１０２  天井面
１０３  エアカーテン
１０４  吹き出し口
１０５  引き込み口
１０６、２０６  気流加速器
１０７  温湿度調整器
１０８、１１０、３０８、３１０  ダクト
１０９、２０９、３０９  表面
３０７  熱交換器
３１１  流路
１０６１  絶縁体
１０６２  誘電体
１０６３、１０６４  電極
【図１】
2020148395.tif 000003
【図２】
2020148395.tif 000004
【図３】
2020148395.tif 000005
【図４】
2020148395.tif 000006
【図５】
2020148395.tif 000007
【図６】
2020148395.tif 000008